(57)【要約】【課題】番手が大きくなるにしたがって順次短くなるように形成されている複数本のゴルフクラブ用シャフト及びそれらを用いたゴルフクラブのいずれにおいても、一定のリズム及びタイミングでスイングをすることができるゴルフクラブ用シャフトセット及びゴルフクラブセットを提供する。【解決手段】番手が大きくなるにしたがって順次短くなるように形成されている複数本のゴルフクラブ用シャフトを有するゴルフクラブ用シャフトセットのそれぞれは、同一の振動数となるように形成されている。これらのゴルフクラブ用シャフトを用いた複数本のゴルフクラブを有するゴルフクラブセットのそれぞれも、同一の振動数となるように形成されている。【選択図】図１
2019180446.tif 000002
【特許請求の範囲】
【請求項１】
番手が大きくなるにしたがって順次短くなるように形成されている複数本のゴルフクラブ用シャフトを有するゴルフクラブ用シャフトセットであって、
前記複数本のゴルフクラブ用シャフトのそれぞれは、同一の振動数となるように形成されており、
前記複数本のゴルフクラブ用シャフトのそれぞれの同一の振動数は、予め定められた許容範囲を有していることを特徴とするゴルフクラブ用シャフトセット。
【請求項２】
前記複数本のゴルフクラブ用シャフトのそれぞれの同一の振動数の予め定められた許容範囲は、基準の振動数を中心として、プラスマイナス２．５％以内となるように形成されていることを特徴とする請求項１に記載のゴルフクラブ用シャフトセット。
【請求項３】
前記ゴルフクラブ用シャフトは、アイアン用シャフトまたはウッド用シ
ャフトであることを特徴とする請求項１または請求項２に記載のゴルフクラブ用シャフトセット。
【請求項４】
請求項１から請求項３のいずれかに記載の複数本のゴルフクラブ用シャフトのそれぞれの先端領域にヘッドが取り付けられており且つ後端領域にグリップが取り付けられている複数本のゴルフクラブを有することを特徴とするゴルフクラブセット。
【請求項５】
前記複数本のゴルフクラブのそれぞれは、同一の振動数となるように形成されており、  前記複数本のゴルフクラブのそれぞれの同一の振動数は、予め定められた許容範囲を有していることを特徴とする請求項４に記載のゴルフクラブセット。
【請求項６】
前記複数本のゴルフクラブのそれぞれの同一の振動数の予め定められた許容範囲は、基準の振動数を中心として、プラスマイナス２．５％以内となるように形成されていることを特徴とする請求項５に記載のゴルフクラブセット。
【請求項７】
前記ゴルフクラブ用シャフトは、アイアン用シャフトであり、複数の前記アンアン用シャフトを用いたアイアンセットであることを特徴とする請求項５または請求項６に記載のゴルフクラブセット。
【発明の詳細な説明】
【技術分野】
【０００１】
本発明は、ゴルフクラブ用シャフトセット及びゴルフクラブセットに関する。
【背景技術】
【０００２】
従来、ゴルフクラブ用シャフトセット及びゴルフクラブセットにおいて、シャフトが、各番手共に先端側から全長の所定の範囲に先端側から後端側に向かうにしたがって曲げ剛性が増大する中部領域と、この中部領域の先端側にあって先端側に向かうにしたがって曲げ剛性が増大する領域と、中部領域の後端側にあって後端側に向かうにしたがって曲げ剛性が増大する後部領域とを有し、中部領域の全長に対する長さは、全ての番手で略一致し、中部領域の先端側から後端側に亘る曲げ剛性分布は、全ての番手で略一致し、後部領域は、番手が大きくなるにしたがって前部領域よりも曲げ剛性が増大する率を大きくしているものが開示されていた。
【先行技術文献】
【特許文献】
【０００３】
【特許文献１】特開２０１２−９０７３０号公報
【発明の概要】
【発明が解決しようとする課題】
【０００４】
上記のゴルフクラブ用シャフトセット及びゴルフクラブセットを用いたゴルフクラブは、スイングの安定性、タイミングなどにおいて十分なものではなく、リズムを取りやすく且つタイミングを取りやすいものが求められていた。
【０００５】
本発明は、こうした点に鑑みてなされたものであり、番手が大きくなるにしたがって順次短くなるように形成されている複数本のゴルフクラブ用シャフト及びそれらを用いたゴルフクラブのいずれにおいても、一定のリズム及びタイミングでスイングをすることができるゴルフクラブ用シャフトセット及びゴルフクラブセットを提供することである。
【課題を解決するための手段】
【０００６】
上記課題を解決するために、本発明に係るゴルフクラブ用シャフトセットは、番手が大きくなるにしたがって順次短くなるように形成されている複数本のゴルフクラブ用シャフトを有するゴルフクラブ用シャフトセットであって、前記複数本のゴルフクラブ用シャフトのそれぞれは、同一の振動数となるように形成されており、前記複数本のゴルフクラブ用シャフトのそれぞれの同一の振動数は、予め定められた許容範囲を有していることを特徴とする。
【０００７】
本発明に係るゴルフクラブ用シャフトセットの態様について、前記複数本のゴルフクラブ用シャフトのそれぞれの同一の振動数の予め定められた許容範囲は、基準の振動数を中心として、プラスマイナス２．５％以内となるように形成されていることが好ましい。
【０００８】
本発明に係るゴルフクラブ用シャフトセットの態様について、前記ゴルフクラブ用シャフトは、シャフトまたはウッド用シャフトであることが好ましい。
【０００９】
上記課題を解決するために、本発明に係るゴルフクラブセットは、上記の複数本のゴルフクラブ用シャフトのそれぞれの先端領域にヘッドが取り付けられており且つ後端領域にグリップが取り付けられている複数本のゴルフクラブを有することを特徴とする。
【００１０】
本発明に係るゴルフクラブセットの態様について、前記複数本のゴルフクラブのそれぞれは、同一の振動数となるように形成されており、前記複数本のゴルフクラブのそれぞれの同一の振動数は、予め定められた許容範囲を有していることが好ましい。
【００１１】
本発明に係るゴルフクラブセットの態様について、前記複数本のゴルフクラブのそれぞれの同一の振動数の予め定められた許容範囲は、基準の振動数を中心として、プラスマイナス２．５％以内となるように形成されていることが好ましい。また、前記ゴルフクラブ用シャフトは、アイアン用シャフトであり、複数の前記アンアン用シャフトを用いたアイアンセットであることが好ましい。
【発明の効果】
【００１２】
番手が大きくなるにしたがって順次短くなるように形成されている複数本のゴルフクラブ用シャフト及びそれらを用いたゴルフクラブのいずれにおいても、一定のリズム及びタイミングでスイングをすることができるゴルフクラブ用シャフトセット及びゴルフクラブセットを提供することができる。
【図面の簡単な説明】
【００１３】
【図１】実施形態のゴルフクラブセットのそれぞれのゴルフクラブの番手と振動数の関係の一例を示す図である。
【図２】一般的なゴルフクラブセットのそれぞれのゴルフクラブの番手と振動数の関係の一例を示す図である。
【図３】実施形態のゴルフクラブセットの一例を説明する参考図である。
【発明を実施するための形態】
【００１４】
以下、本発明のゴルフクラブ用シャフトセット及びこのゴルフクラブ用シャフトセットを用いたゴルフクラブセットの実施形態を、図１から図３を用いて説明する。
【００１５】
図１（ａ）は、実施形態のゴルフクラブセットのそれぞれのゴルフクラブの番手と振動数の関係の一例を示すグラフであり、図１（ｂ）は、実施形態のゴルフクラブセットのそれぞれのゴルフクラブの番手と振動数の関係の一例を示す図表である。図２（ａ）は、従来のゴルフクラブセットのそれぞれのゴルフクラブの番手と振動数の関係の一例を示すグラフであり、図２（ｂ）は、従来のゴルフクラブセットのそれぞれのゴルフクラブの番手と振動数の関係の一例を示す図表である。図３は、実施形態のゴルフクラブセットの一例として、説明の便宜上アイアンを用いて説明している参考図である。
【００１６】
本発明は、鋭意研究の結果、ゴルファーがいかに安定したリズム及びタイミングでスイングすることができ、スコアーの向上のみならず快適なプレイを楽しむことができるゴルフクラブ用シャフトセット及びこのゴルフクラブ用シャフトセットを用いたゴルフクラブセットについて、ゴルフクラブ用シャフト及びゴルフクラブの振動数に着目し、具現化したものである。
【００１７】
図１及び図２は、ゴルフクラブの一例として、柔らかめ（ゴルフクラブのシャフトが柔らかいタイプであり一般的な表記Ｒシャフト）、普通（ゴルフクラブのシャフトが普通のタイプであり一般的な表記Ｓシャフト）及び硬め（ゴルフクラブのシャフトが硬めのタイプであり一般的な表記Ｘシャフト）の３種類の特性を有するゴルフクラブセットの番手と振動数の関係を示す図である。また、これらの図に示すそれぞれのゴルフクラブは、ＤＲ＃１（ドライバー）、ＦＷ＃３（３番ウッド）、ＦＷ＃５（５番ウッド）、ＵＴ＃３（３番ユーティリティー）、ＵＴ＃４（４番ユーティリティー）、ＩＲ＃５（５番ゴルフクラブ）、ＩＲ＃６（６番ゴルフクラブ）、ＩＲ＃７（７番ゴルフクラブ）、ＩＲ＃８（８番ゴルフクラブ）、ＩＲ＃９（９番ゴルフクラブ）、ＩＲ＃１０（１０番ゴルフクラブ）、ＩＲ＃ＡＷ（アプローチウエッジ）、ＩＲ＃ＳＷ（サンドウエッジ）である。なお、上記の組み合わせは、説明の便宜上選択されたものでありこれに限定されず、適宜最適なものを選択し、ゴルフクラブ用シャフトセット及びゴルフクラブセットとしてもよく、また、アイアンクラブセットとしてもよい。
【００１８】
以下、図１及び図２を用いて説明する。図２（ａ）は、柔らかめ（一般的な表記はＲ）、普通（一般的な表記はＳ）、硬め（一般的な表記はＸ）のゴルフクラブセットのそれぞれの番手の振動数の分布を示しており、図２（ｂ）は、図２（ａ）の分布を示すもととなる数値を示す図表である。この分布から分かるように、例えば、柔らかめのゴルフクラブセットにおいて、ＤＲ＃１の振動数は、２１０ＣＰＭであり、番手が大きくなるにしたがって振動数は、増加しており、ＩＲ＃ＳＷの振動数は、２９６ＣＰＭとなっている。
【００１９】
このように一般的なゴルフクラブセットにおいては、番手が大きくなるにしたがって振動数は増加するようになっている。なお、上記の振動数の単位ＣＰＭは、「Ｃｙｃｌｅｓ  Ｐｅｒ  Ｍｉｎｕｔｅ」であり、シャフトが１分間に何回揺れ動くかを計測した数値である。また、振動数は、例えば、シャフトまたはゴルフクラブを振動数計測器を用いて測定し、測定した振動数を分速で数値化した値である。
【００２０】
本発明は、上記の一般的なゴルフクラブセットにおいて、それぞれのクラブの振動数が異なることにより、一定のリズム及びタイミングでスイングをすることが困難であるということに着目したものである。
【００２１】
すなわち、本発明のゴルフクラブ用シャフトセット及びゴルフクラブセットは、番手が大きくなるにしたがって順次短くなるように形成されている複数本のゴルフクラブ用シャフトのそれぞれが、同一の振動数となるように形成されており、これらを用いた複数本のゴルフクラブのそれぞれも、図１（ａ）及び図１（ｂ）に示すとおり、同一の振動数となるように形成されている。なお、上記の同一の振動数は、予め定められた許容範囲を有しており、この例において、予め定められた許容範囲は、基準の振動数を中心として、プラスマイナス２．５％以内であるが、これに限定されず適宜最適な許容範囲を設定し、本発明のゴルフクラブ用シャフトセット及びゴルフクラブセットを設計すればよい。また、この例において、以下に述べる同一の振動数も上述のとおりである。
【００２２】
図１（ａ）は、本発明の一例として、柔らかめ（一般的にＲ表記）、普通（一般的にＳ表記），硬め（一般的にＸ表記）のゴルフクラブセットのそれぞれの番手の振動数の分布を示しており、図１（ｂ）は、図１（ａ）の分布を示すもととなる数値を示す図表である。
【００２３】
この分布から分かるように、柔らかめ（一般的にＲ表記）のゴルフクラブセットにおいて、ＤＲ＃１の振動数は、２１０ＣＰＭであり、番手が大きくなるにしたがっても、振動数は、一定であり、ＩＲ＃ＳＷの振動数においても、２１０ＣＰＭとなっている。普通（一般的にＳ表記）のゴルフクラブセットにおいて、ＤＲ＃１の振動数は、２４０ＣＰＭであり、番手が大きくなるにしたがっても振動数は、一定であり、ＩＲ＃ＳＷの振動数においても、２４０ＣＰＭとなっている。また、硬め（一般的にＸ表記）のゴルフクラブセットにおいて、ＤＲ＃１の振動数は、２７０ＣＰＭであり、番手が大きくなるにしたがっても振動数は、一定であり、ＩＲ＃ＳＷの振動数においても、２７０ＣＰＭとなっている。
【００２４】
上記のとおり、これまでのクラブセットは、同一の表記のシャフトであっても、ドライバーからサンドウエッジまで、徐々に振動数が大きくなるように作られていた。しかし、過去の慣例にとらわれず、同じ表記のシャフトをセットにした場合において、例えば、ドライバーからからサンドウエッジまで一定の振動数になるようにシャフトを製造することにより、従来の問題点を解決できることになる。
【００２５】
図３を用いて本発明の一例について説明する。図３は、実施形態のゴルフクラブ用シャフトセット及びゴルフクラブセットの一例として、説明の便宜上アイアン用シャフト及びアイアンを用いて説明している参考図である。この図では、アイアン用シャフト及びアイアンを、ゴルフクラブ用シャフトセット及びゴルフクラブセットとして用いているが、ウッド用シャフト及びウッドを、ゴルフクラブ用シャフトセット及びゴルフクラブセットとして用いてもよく、また、アイアンとウッドを用いたハーフセットやフルセットであってもよい。すなわち、本発明は、複数のゴルフクラブ用シャフトを用いたゴルフクラブセットあるが、複数のアイアン用シャフトを用いたアイアンセットでもよいということである。
【００２６】
まず、図３に示すシャフトセット１００について説明する。図３に示すように、実施形態のシャフトセット１００は、番手が大きくなるにしたがって順次短くなるように形成されている複数本のシャフト１０ａから１０ｈを有している。シャフトには、一般的に、スチールシャフトとカーボンシャフトがあるが、本実施形態においては、これらをシャフトとする。
【００２７】
シャフトセット１００は、図３に示すとおり、番手３に対応するシャフト１０ａ、番手４に対応するシャフト１０ｂ、番手５に対応するシャフト１０ｃ、番手６に対応するシャフト１０ｄ、番手７に対応するシャフト１０ｅ、番手８に対応するシャフト１０ｆ、番手９に対応するシャフト１０ｇ及び番手１０（ピッチングウエッジ）に対応するシャフト１０ｈを有している。なお、このようなシャフトセット１００は一例であり、これに限定されず適宜最適なシャフトの組み合わせであってもよく、例えば１番アイアン用シャフト、２番アイアン用シャフト、サンドウエッジ用シャフトなどを加えたシャフトセットであってもよい。また、上記のとおり、この例は、説明の便宜上アイアンについて説明しているが、ドライバー、ユーティリティー、サンドウエッジなどを加えて、それぞれのゴルフクラブ用シャフト及びゴルフクラブの振動数が、同一になるように、また、基準の振動数を中心として、プラスマイナス２．５％以内になるようにしてもよい。
【００２８】
このように番手が大きくなるにしたがって順次短くなるように形成されている複数本のシャフトを有するゴルフクラブのシャフトセット１００は、シャフト１０ａから１０ｈの複数本のシャフトのそれぞれが、同一の振動数となるように形成されており、上記の同一の振動数は予め定められた許容範囲を有しており、例えば、基準の振動数を中心として、プラスマイナス２．５％以内に形成されている。
【００２９】
次に、ゴルフクラブ用シャフトセット１００を用いたゴルフクラブセット２００について説明する。図３に示すように、ゴルフクラブセット２００は、シャフト１０ａから１０ｈのそれぞれの先端領域にヘッド２０ａから２０ｈのそれぞれが取り付けられており、且つシャフト１０ａから１０ｈのそれぞれの後端領域にグリップ３０ａから３０ｈのそれぞれが取り付けられている複数本のゴルフクラブであるゴルフクラブ４０ａからゴルフクラブ４０ｈを有している。また、ゴルフクラブセット２００は、シャフトセット１００と同様に、番手が大きくなるにしたがって順次短くなるように形成されている。
【００３０】
ゴルフクラブセット２００は、番手３に対応するゴルフクラブ４０ａ、番手４に対応するゴルフクラブ４０ｂ、番手５に対応するゴルフクラブ４０ｃ、番手６に対応するゴルフクラブ４０ｄ、番手７に対応するゴルフクラブ４０ｅ、番手８に対応するゴルフクラブ４０ｆ、番手９に対応するゴルフクラブ４０ｇ及び番手１０（ピッチングウエッジ）に対応するゴルフクラブ４０ｈを有している。なお、このようなゴルフクラブセット２００の構成は一例であり、これに限定されず適宜最適なゴルフクラブの組み合わせにすればよい。
【００３１】
このように番手が大きくなるにしたがって順次短くなるように形成されている複数本のゴルフクラブを有するゴルフクラブセット２００は、ゴルフクラブ４０ａから４０ｈのそれぞれが、同一の振動数となるように形成されており、上記の同一の振動数は予め定められた許容範囲を有しており、例えば、基準の振動数を中心として、プラスマイナス２．５％以内に形成されている。
【００３２】
このような特徴を有する本発明のゴルフクラブ用シャフト及びこれらを用いたゴルフクラブの番手の異なるそれぞれは、同一の振動数、具体的には基準の振動数のプラスマイナス２．５％以内の振動数で形成されていることにより、ゴルフクラブセットのどのクラブを使用するときであっても、一定のリズム及びタイミングで、スイングすることができ、打ち放たれるショットの安定感が高まり、ゴルフをより楽しむことができるという顕著な効果を有するものである。
【００３３】
以上、本発明の有する特徴及び優れた点を上記実施形態に記載したが、本発明は、本願の特許請求の範囲で使用されている言葉を広く一般的な意味に拡張して実施することができる。また、本発明のゴルフクラブ用シャフトセット及びゴルフクラブセットは、振動数、重さ、大きさ、形状、素材の種類などについては、多様な実施形態が可能であり、それらについて本実施形態と異なる形態による実施は、本発明の技術的範囲に含まれる。
【符号の説明】
【００３４】
１００            ゴルフクラブ用シャフトセット
２００            ゴルフクラブセット
１０ａから１０ｈ  シャフト
２０ａから２０ｈ  ヘッド
３０ａから３０ｈ  グリップ
４０ａから４０ｈ  ゴルフクラブ
【図１】
2019180446.tif 000003
【図２】
2019180446.tif 000004
【図３】
2019180446.tif 000005